(57)【要約】【課題】車内広告のなかの一つの見出しに関連する詳細情報を取得する場合でも雑誌一冊の購入、あるいは数多くの入力操作、数多くの送信受信ステップが必要であり広告の詳細情報取得までの複雑操作の簡便化が課題であった。さらにユーザにとっては詳細情報の内容の向上、情報提供側にとっては費用の回収が課題であった。さらに広告提供側にとっては広告効果の把握が課題であった。【解決手段】上記課題を解決するために、本発明では、車内広告の見出しの近傍に印刷などの手段で表示されたマトリックス方式２次元コードをカメラ付き携帯端末で読み取りこれを解読し解読結果に従いネットワーク、サーバを経由してデータベースにアクセスしこのデータベースから先ほどの見出しに関連した詳細情報をさきのカメラ付き携帯端末に出力する。【選択図】  図１
2006038970.tif 000002
【特許請求の範囲】
【請求項１】
車内広告に印刷された見出しと、該見出しの近傍に位置するコード情報と、前記見出しに関連する詳細情報を蓄積したデータベースと該データベースを制御すると共に通信制御機能を持つサーバとからなる情報センタと、前記コード情報を解読する機能を有すると共にカメラおよび表示部を有する携帯端末と、さらに該携帯端末と前記情報センタを接続する無線設備ならびに有線設備からなるネットワークとで構成され、前記携帯端末は前記見出しの近傍に位置するコード情報を解読し解読結果に従い前記ネットワークを介して前記情報センタにアクセスし該情報センタは該アクセスに従い前記データベースから前記見出しに関連する詳細情報を読み出し前記ネットワークを介して前記携帯端末に送達し、該携帯端末は該情報を表示部に出力することを特徴とする情報提供システム。
【請求項２】
前記携帯端末は非接触型プリペイドカード機能を有し、前記サーバは前記見出しに関連する詳細情報と共に該詳細情報に予め付された課金情報を前記携帯端末に送達し、該携帯端末は前記プリペイドカード機能により決済することを特徴とする請求項１記載の情報提供システム。
【請求項３】
前記コード情報はマトリックス方式２次元コードであることを特徴とする請求項１および請求項２記載の情報提供システム。
【請求項４】
前記コード情報は前記見出しの近傍に多数個印刷されると共に該コード情報の周囲がミシン目で囲まれるかあるいは前記コード情報は矩形の多数の小紙片に個々に印刷され方向をそろえてまとめられ一辺が前記見出しの近傍に糊付けされると共にミシン目が施されることを特徴とする請求項１、請求項２および請求項３記載の情報提供システム。
【請求項５】
前記サーバは前記アクセスに従い携帯端末の発番号、アクセス日時、読み出された詳細情報を特定する情報を記録集計することを特徴とする請求項１、請求項２、請求項３および請求項４記載の情報提供システム。
【請求項６】
車内広告の見出しの近傍に該見出し関連する詳細情報にリンクするコード情報を提示し、該コード情報をカメラ付き携帯端末で取得して該携帯端末内で解析し解析結果に従い無線設備ならびに有線設備からなるネットワークを介して通信制御機能を持つサーバに接続しさらに前記ネットワークを介してデータベースにアクセスして前記見出しに関連する詳細情報を取得し該情報を前記サーバ、前記ネットワークを介して前記携帯端末の表示部に出力することを特徴とする情報提供方法。
【請求項７】
前記サーバは前記見出しに関連する詳細情報と共に該詳細情報に予め付された課金情報を前記携帯端末に送達し、前記携帯端末は非接触型プリペイドカード機能により決済することを特徴とする請求項６記載の情報提供方法。
【請求項８】
前記携帯端末は前記見出し関連する詳細情報にリンクするコード情報としてマトリックス方式２次元コードを解析することを特徴とする請求項６および請求項７記載の情報提供方法。
【請求項９】
前記見出しの近傍に前記コード情報を周囲をミシン目で囲んで印刷し、あるいは前記コード情報を矩形の多数の小紙片に個々に印刷し方向をそろえてまとめて一辺を前記見出しの近傍に糊付けすると共にミシン目を施すことを特徴とする請求項６、請求項７および請求項８記載の情報提供方法。
【請求項１０】
前記サーバは前記アクセスに従い携帯端末の発番号、アクセス日時、読み出された詳細情報を特定する情報を記録集計することを特徴とする請求項６、請求項７、請求項８および請求項９記載の情報提供方法。
【発明の詳細な説明】
【技術分野】
【０００１】
本発明はカメラおよび表示部を有する携帯端末への情報提供システムならびに情報提供方法に関し、特に鉄道、バス、タクシー等の車内広告の見出しからこの見出しに関連する詳細情報を携帯端末に表示し、広告アクセス情報を集計すると共に課金決済するシステムおよび方法に関する。
【背景技術】
【０００２】
従来の車内広告においては、見出しに関心を持ち詳細を知りたいと思ったユーザは広告の対象が雑誌ならば売店でその雑誌を購入するか、ＵＲＬが表示してあればこれを読み取りながら携帯端末へ入力をする、あるいは検索サイトで検索するなどの操作が必要であった。さらに車内に通信装置を設置しこれを介して広告の補足情報取得に必要な管理情報を携帯端末に提示しユーザがこの管理情報から所望する補足情報を要求するもの（例えば特許文献１参照）、あるいは車内広告に表示されたメールアドレスを入力するもの（例えば特許文献２参照）があるがいずれも携帯端末において複数の入力操作、複数の送信受信ステップを要し実用上重大な問題を含んでいた。
【０００３】
【特許文献１】特開２００２−２３０４０９公報
【特許文献１】特開２００３−１４０５８２公報
【発明の開示】
【発明が解決しようとする課題】
【０００４】
従来の技術においては以下のような課題がある。すなわち、一つの見出しに関連する詳細情報を取得するのでも雑誌一冊購入しなければならないという非効率さの解消が課題であった。また詳細情報を取得するまでに複数の入力操作、複数の送信受信ステップが必要であり広告の詳細情報取得までの複雑操作の簡便化が課題であった。さらに書籍等の売切りの場合以外、詳細情報の有料化の手段がなく、ユーザにとっては詳細情報の内容の向上、情報提供側にとっては費用の回収が課題であった。さらに広告提供側にとってはどのような人が、いつ頃個々の見出しに興味を示しているのかわからず広告効果の把握手段の確保が課題であった。
【課題を解決するための手段】
【０００５】
上記課題を解決するために、本発明の請求項１記載の情報提供システムは、車内広告の見出しの近傍に印刷などの手段で表示されたコードをカメラ付き携帯端末で読み取りこれを解読し解読結果に従いネットワーク、サーバを経由してデータベースにアクセスしこのデータベースから先ほどの見出しに関連した詳細情報をさきのカメラ付き携帯端末に出力するものである。車内広告とは鉄道、バス、タクシーなどの交通機関によって使用される列車または自動車の天井、壁等に表示される広告である。
【０００６】
このようにすることによりユーザは一つの見出しの詳細情報のために雑誌一冊を購入するという非効率さの解消や、詳細情報を取得するまでに複数の入力操作、複数の送信受信ステップが必要という複雑操作の簡便化が図られ、１回のアクションで所望の詳細情報を得ることが可能となる。
【０００７】
本発明の請求項２記載の情報提供システムは、携帯端末に非接触型プリペイドカード機能を搭載し、サーバは詳細情報と共に課金情報を携帯端末に送達し、携帯端末はプリペイドカード機能により決済する。
【０００８】
このようにすることにより詳細情報の有料化が図られユーザにとっては詳細情報の内容の向上、広告提供側にとっては費用の回収が実現できる。
【０００９】
本発明の請求項３記載の情報提供システムは、車内広告の見出しの近傍に印刷などの手段で表示されたコードをマトリックス方式２次元コード、いわゆるＱＲコードとする。このようにすることによりカメラ付き携帯端末でのコード解読が短時間で行えるだけでなく普及度、価格の面でも本発明のシステムにとって有利である。
【００１０】
本発明の請求項４記載の情報提供システムは、車内広告の見出しの近傍に印刷などの手段で表示されたコードの周囲をミシン目で囲むかあるいはコードが矩形の多数の小紙片に個々に印刷され方向をそろえてまとめられ一辺が前記見出しの近傍に糊付けされると共にミシン目が施されることを特徴とする。
【００１１】
このようにすることによりユーザはコードを簡単に引きちぎりあるいは切り取ることにより車内広告に接近せずに手元でカメラ付き携帯端末によるコード解読が行える。詳細情報獲得のためのコードの解読がより簡便になる。
【００１２】
本発明の請求項５記載の情報提供システムは、サーバがアクセスに従い携帯端末の発番号、アクセス日時、読み出された詳細情報を特定する情報を記録集計する。このようにすることにより広告提供側がどのような人が、いつ頃個々の見出しに興味を示しているのか等広告効果の把握が可能となった。
【発明の効果】
【００１３】
本発明により、ユーザは一つの見出しの詳細情報のために雑誌一冊を購入するという非効率さの解消や、詳細情報を取得するまでに複数の入力操作、複数の送信受信ステップが必要という複雑操作の簡便化が図られ、１回のアクションで所望の詳細情報を得ることが可能となる。また本発明により、詳細情報の有料化が図られユーザにとっては詳細情報の内容の向上、広告提供側にとっては費用の回収が実現できる。さらに本発明により、カメラ付き携帯端末でのコード解読が短時間で行えるだけでなく普及度、価格の面でも本発明のシステムにとって有利となる。またさらに本発明により、ユーザはコードを簡単に引きちぎりあるいは切り取ることにより車内広告に接近せずに手元でカメラ付き携帯端末によるコード解読が行える。詳細情報獲得のためのコードの解読がより簡便になる。そしてまたさらに本発明により、広告提供側がどのような人が、いつ頃個々の見出しに興味を示しているのか等広告効果の把握が可能となった。
【発明を実施するための最良の形態】
【００１４】
以下、本発明の実施の形態につき、図面を参照して説明する。図１は本発明に係る情報提供システムの一実施例の主要構成を示すブロック図である。図において、101は鉄道、バス、タクシーなどにおける車内広告、1001は車内広告にある見出し、1101はこの見出しの近傍に表示されたマトリックス方式２次元コードの一種ＱＲコードであり、102はカメラおよび表示部を持つ携帯端末でこの端末はコード情報1101を解読する機能も持つ。見出し1001、コード情報1101は一つの車内広告に１つとは限らず複数ある場合もある。103は携帯端末102とネットワークとが交信するための基地局、104は電話網あるいはインターネットで構成されるネットワークである。105はネットワーク104に接続される情報センタでありセンタはサーバ115およびデータベース125から構成される。
【００１５】
ユーザは車内広告の見出しを見て、この見出しに関連した詳細情報を見たい場合見出しの近傍に表示されたＱＲコードを自分のカメラ付き情報端末で読み取る。情報端末はＱＲコードを解読し、表示部に見出しに関連する詳細情報が蓄積されている情報センタのＵＲＬを表示する。ユーザがこのＵＲＬをクリックすることにより詳細情報のダウンロード要求が基地局103、ネットワーク104、を経由して情報センタ105に送達される。さらに情報センタ内ではサーバ115の制御によりデータベース125から詳細情報が読み出されネットワーク104、基地局103を経由して携帯端末102にダウンロードされる。このようにユーザが見出しの近傍のＱＲコードを自分の携帯端末で読み取り、表示されたＵＲＬをクリックするだけで見出しに関連する詳細情報を得ることが可能となる。
【００１６】
図２は本発明に係る情報提供システムにおける決済の一実施例の構成を示すブロック図である。図において、201は課金センタである。本図においては図１における基地局103が省略されている。ユーザは情報センタ105に対しダウンロード要求2001を送達する。情報センタ105は送達された情報からプリペイドカードによる決済を判断して金額および発ＩＤからなる情報2002を課金センタ201に送達する。課金センタ201はこれに基づき携帯端末102に決済確認2003を送達しユーザは了解の通知2004を送るとともに携帯端末102内ではプリペイドカードの減額処理が行われる。2004に従い課金センタ201は決済完了通知2005を情報センタ105に送達する。情報センタ105では2005に従い詳細情報2006を携帯端末102にダウンロードする。以上によりユーザは雑誌を一冊購入する事無く見たいと思う詳細情報のみを入手することができる。この時の料金は雑誌を一冊購入する場合より低くなることは容易に予想できる。また情報提供側も経費の回収が可能となる。
【００１７】
図３は非接触型プリペイドカードのチャージングの例である。本図においては図１における基地局103が省略されている。また多くは店頭等に設置されているチャージング端末もその表記が省略されている。ユーザが携帯端末を店頭等のチャージング端末にかざすと携帯端末に装備されている非接触型プリペイドカードが読み取られ残額が表示される。チャージング端末に現金を入金するとこの入金額が加算表示されその金額情報3001は課金センタに送達される。送達確認3002は課金センタ201から携帯端末102に送られる。図には描かれていないが入金は銀行口座から振り込むことでもよい。このようにしてユーザは非接触型プリペイドカードに容易にチャージでき新たな購入が可能となる。
【００１８】
図４はＱＲコードの周囲をミシン目で囲んだものである。ユーザはミシン目に沿ってＱＲコードを切り取ることにより、手元でＱＲコード入力を行うことが可能となる。これにより揺れる車内でＱＲコードにねらいをつける手間が省けより確実にＱＲコード入力を行うことができるようになる。図５は矩形の多数の小紙片の個々にＱＲコードが印刷され方向をそろえてまとめられ一辺が見出しの近傍に糊付けされると共にミシン目が施されたもので複数のユーザがＱＲコードを切り取ることを可能としている。これにより複数のユーザが見出しに関連した詳細情報を入手できることになる。
【００１９】
情報センタ105ではダウンロード情報の際のユーザ名、ダウンロードした詳細情報、日時などを記録することにより、広告効果の把握やユーザの好みの情報分野、見たいと思う時間帯、鉄道等の路線などを把握できる。
【産業上の利用可能性】
【００２０】
本発明は、鉄道、バス、タクシー等の車内の広告の見出しから関連する詳細情報を携帯端末に表示し、広告アクセス情報を集計すると共に課金決済するため出版業界、広告業界での利用の可能性は大きいと考えられる。
【図面の簡単な説明】
【００２１】
【図１】本発明の全体を示すブロック図である。
【図２】本発明におけるダウンロード情報への課金を示すブロック図である。
【図３】本発明におけるチャージングを示すブロック図である。
【図４】本発明におけるマトリックス方式２次元コードの周囲をミシン目で囲み切り取り易くしたものの例である。
【図５】図４において複数のユーザがマトリックス方式２次元コードの紙片を切り取り易くしたものの例である。
【符号の説明】
【００２２】
１０１      車内広告    
１０２      携帯端末
１０３      基地局
１０４      ネットワーク
１０５      情報センタ
１１５      サーバ
１２５      データベース
１００１    見出し
１１０１    マトリックス方式２次元コード
２０１      課金センタ
２００１    ダウンロード要求情報
３００１    チャージング情報
４００１    マトリックス方式２次元コードに施したミシン目
【図１】
2006038970.tif 000003
【図２】
2006038970.tif 000004
【図３】
2006038970.tif 000005
【図４】
2006038970.tif 000006
【図５】
2006038970.tif 000007